(57)【要約】【課題】本発明は、電極組立体を構成する正極と負極及びセパレータを正確に整列させ、各々の正極と負極の集電効率を高め、出力性能と寿命及び信頼性を向上させることができる二次電池を提供する。【解決手段】本発明の第１実施形態に係る二次電池は、電極組立体、及び前記電極組立体を収容するケースを含み、前記電極組立体は、各々第１活物質が塗布された第１コーティング部と、第１整列開口部と第２整列開口部を有する第１無地部を含む複数の第１電極、各々第２活物質が塗布された第２コーティング部と、第３整列開口部と第４整列開口部を有する第２無地部を含む複数の第２電極、及び前記各々の第１コーティング部と各々の第２コーティング部との間に介在するセパレータを含む。前記複数の第１電極の第１整列開口部は互いに整列され、前記複数の第１電極の第２整列開口部は互いに整列され、前記複数の第２電極の第３整列開口部は互いに整列され、前記複数の第２電極の第４整列開口部は互いに整列される。【選択図】図３
2011113970.tif 000002
【特許請求の範囲】
【請求項１】
電極組立体、及び
前記電極組立体を収容するケースを含み、
前記電極組立体は、
各々第１活物質が塗布された第１コーティング部と、第１整列開口部と第２整列開口部を有する第１無地部を含む複数の第１電極、
各々第２活物質が塗布された第２コーティング部と、第３整列開口部と第４整列開口部を有する第２無地部を含む複数の第２電極、及び
前記各々の第１コーティング部と各々の第２コーティング部との間に介在するセパレータを含み、
前記複数の第１電極の第１整列開口部は互いに整列され、前記複数の第１電極の第２整列開口部は互いに整列され、前記複数の第２電極の第３整列開口部は互いに整列され、前記複数の第２電極の第４整列開口部は互いに整列されることを特徴とする、二次電池。
【請求項２】
前記第１整列開口部は前記第１無地部の第１半分上に形成され、前記第２整列開口部は前記第１無地部の第２半分上に形成され、前記第３整列開口部は前記第２無地部の第１半分上に形成され、前記第４整列開口部は前記第２無地部の第２半分上に形成されることを特徴とする、請求項１に記載の二次電池。
【請求項３】
第１端子と第２端子をさらに含み、
前記第１端子は前記電極組立体から第１方向に延び、
前記第２端子は前記電極組立体から前記第１方向と実質的に反対方向である第２方向に延びることを特徴とする、請求項１に記載の二次電池。
【請求項４】
前記ケースを密閉する少なくとも一つのキャッププレートをさらに含むことを特徴とする、請求項１に記載の二次電池。
【請求項５】
前記電極組立体は積層された形状で構成されることを特徴とする、請求項１に記載の二次電池。
【請求項６】
前記電極組立体と電気的に連結され、第１連結開口部及び第２連結開口部を有する第１集電板と、
前記電極組立体と電気的に連結され、第３連結開口部及び第４連結開口部を有する第２集電板をさらに含むことを特徴とする、請求項１に記載の二次電池。
【請求項７】
複数の締結部材をさらに含み、
前記複数の各々の締結部材が前記各々の整列開口部及び前記各々の連結開口部を介して挿入されることを特徴とする、請求項６に記載の二次電池。
【請求項８】
前記複数の締結部材はナットとボルト、リベットまたは溶接を含むことを特徴とする、請求項７に記載の二次電池。
【請求項９】
前記ケースは第１ラミネートシートと第２ラミネートシートを含むことを特徴とする、請求項１に記載の二次電池。
【請求項１０】
複数の締結部材、第１端子及び第２端子をさらに含み、
前記第１端子と前記第２端子は複数の前記各締結部材によって前記電極組立体と各々連結されることを特徴とする、請求項９に記載の二次電池。
【請求項１１】
複数の前記締結部材は前記の各々の整列開口部を介して挿入されることを特徴とする、請求項１０に記載の二次電池。
【請求項１２】
前記第１整列開口部、第２整列開口部、第３整列開口部及び第４整列開口部は実質的に円形または楕円形からなることを特徴とする、請求項１に記載の二次電池。
【請求項１３】
前記第１整列開口部と前記第２整列開口部との間の間隔は前記第３整列開口部と前記第４整列開口部との間の間隔と異なるように形成されることを特徴とする、請求項１に記載の二次電池。
【請求項１４】
電極組立体、及び
前記電極組立体を収容するケースを含み、
前記電極組立体は、
第１活物質が塗布された第１コーティング部と、複数の第１整列開口部と複数の第２整列開口部を有する第１無地部を含む第１電極、
第２活物質が塗布された第２コーティング部と、複数の第３整列開口部と複数の第４整列開口部を有する第２無地部を含む第２電極、及び
前記第１コーティング部と第２コーティング部との間に介在し、前記電極組立体の外面を形成するセパレータを含み、
前記第１整列開口部は互いに整列され、前記第２整列開口部は互いに整列され、前記第３整列開口部は互いに整列され、前記第４整列開口部は互いに整列されることを特徴とする、二次電池。
【請求項１５】
前記電極組立体は折り畳まれて積層されて形成されたり、巻き取られて形成されることを特徴とする、請求項１４に記載の二次電池。
【請求項１６】
前記第１整列開口部、第２整列開口部、第３整列開口部及び第４整列開口部は実質的に円形または楕円形からなることを特徴とする、請求項１４に記載の二次電池。
【発明の詳細な説明】
【技術分野】
【０００１】
本発明は二次電池に関し、より詳しくは、正極無地部と負極無地部を含む電極組立体に関する。
【背景技術】
【０００２】
二次電池は充電が不可能な一次電池とは異なって充放電が可能な電池である。低容量の二次電池は携帯電話やノートパソコン及びカムコーダーのように携帯が可能な小型電子機器に使用され、中・大容量の二次電池は電気自動車、ハイブリッド自動車などのモータ駆動用電源または電力貯蔵用として幅広く使用されている。
【０００３】
二次電池は正極と負極がセパレータを間において配置される電極組立体と、電極組立体を収容するケースと、電極組立体と電気的に連結されてケースの外側に引き出される電極端子とを含む。
【０００４】
電極組立体はゼリーロール状に巻き取られて形成されたり、ジグザグ方式で折り畳まれて積層されたり、多数の正極と負極及びセパレータが積層された構造で構成される。そして、電極組立体においてセパレータの外側に露出した正極無地部と負極無地部に正極端子と負極端子が各々溶接などの方法によって固定される。
【０００５】
前述した二次電池において、出力性能と寿命及び信頼性などは主に電極組立体の整列状態と集電構造によって決定される。例えば、電極組立体を構成する正極、負極、及びセパレータが正確に整列できなければ、溶接及び組み立てなどの後続工程において不良が発生し易く、短絡を誘発する。
【発明の概要】
【発明が解決しようとする課題】
【０００６】
本発明の目的は、電極組立体を構成する正極と負極及びセパレータを正確に整列させ、各々の正極と負極の集電効率を高め、出力性能と寿命及び信頼性を向上させることができる二次電池を提供することである。
【課題を解決するための手段】
【０００７】
本発明の第１実施形態に係る二次電池は、電極組立体、及び前記電極組立体を収容するケースを含み、前記電極組立体は、各々第１活物質が塗布された第１コーティング部と、第１整列開口部と第２整列開口部を有する第１無地部を含む複数の第１電極、各々第２活物質が塗布された第２コーティング部と、第３整列開口部と第４整列開口部を有する第２無地部を含む複数の第２電極、及び前記各々の第１コーティング部と各々の第２コーティング部との間に介在するセパレータを含む。前記複数の第１電極の第１整列開口部は互いに整列され、前記複数の第１電極の第２整列開口部は互いに整列され、前記複数の第２電極の第３整列開口部は互いに整列され、前記複数の第２電極の第４整列開口部は互いに整列される。
【０００８】
前記第１整列開口部は前記第１無地部の第１半分上に形成され、前記第２整列開口部は前記第１無地部の第２半分上に形成され、前記第３整列開口部は前記第２無地部の第１半分上に形成され、前記第４整列開口部は前記第２無地部の第２半分上に形成されてもよい。
【０００９】
前記二次電池は、第１端子と第２端子をさらに含み、前記第１端子は前記電極組立体から第１方向に延び、前記第２端子は前記電極組立体から前記第１方向と実質的に反対方向である第２方向に延びてもよい。
【００１０】
前記ケースを密閉する少なくとも一つのキャッププレートをさらに含んでもよい。
【００１１】
前記電極組立体は積層された形状で構成されてもよい。
【００１２】
前記二次電池は、前記電極組立体と電気的に連結され、第１連結開口部及び第２連結開口部を有する第１集電板と、前記電極組立体と電気的に連結され、第３連結開口部及び第４連結開口部を有する第２集電板をさらに含んでもよい。
【００１３】
前記二次電池は、複数の締結部材をさらに含み、前記複数の各々の締結部材が前記各々の整列開口部及び前記各々の連結開口部を介して挿入されてもよい。前記複数の締結部材はナットとボルト、リベットまたは溶接を含んでもよい。
【００１４】
前記ケースは第１ラミネートシートと第２ラミネートシートを含んでもよい。
【００１５】
前記二次電池は、複数の締結部材、第１端子及び第２端子をさらに含み、前記第１端子と前記第２端子は複数の前記各締結部材によって前記電極組立体に各々連結されてもよい。複数の前記締結部材は前記各々の整列開口部を介して挿入されてもよい。
【００１６】
前記第１整列開口部、第２整列開口部、第３整列開口部及び第４整列開口部は実質的に円形または楕円形で形成されてもよい。
【００１７】
前記第１整列開口部と前記第２整列開口部との間の間隔は、前記第３整列開口部と前記第４整列開口部との間の間隔と異なって形成されてもよい。
【００１８】
本発明の第２実施形態に係る二次電池は、電極組立体、及び前記電極組立体を収容するケースを含み、前記電極組立体は、第１活物質が塗布された第１コーティング部と、複数の第１整列開口部と複数の第２整列開口部を有する第１無地部を含む第１電極、第２活物質が塗布された第２コーティング部と、複数の第３整列開口部と複数の第４整列開口部を有する第２無地部を含む第２電極、及び前記第１コーティング部と第２コーティング部の間に介在し、前記電極組立体の外面を形成するセパレータを含む。前記第１整列開口部は互いに整列され、前記第２整列開口部は互いに整列され、前記第３整列開口部は互いに整列され、前記第４整列開口部は互いに整列される。
【００１９】
前記電極組立体は折り畳まれて積層されて形成されたり、巻き取られて形成されてもよい。
【００２０】
前記第１整列開口部、第２整列開口部、第３整列開口部及び第４整列開口部は実質的に円形または楕円形からなってもよい。
【発明の効果】
【００２１】
本発明の実施形態によると、電極組立体を積層または巻き取る過程において電極組立体の厚さ方向に沿って整列する開口部を利用し、正極と負極の整列状態を正確に確認することができる。従って、電極組立体の積層または巻き取り以降に進められる後続工程における不良の発生を抑制し、短絡を防止することができるため、二次電池の寿命と信頼性が高めることができる。
【図面の簡単な説明】
【００２２】
【図１】本発明の第１実施形態に係る二次電池の斜視図である。
【図２】図１に示した二次電池の断面図である。
【図３】図２に示した二次電池における電極組立体を示した斜視図である。
【図４】図３に示した電極組立体における正極と負極の一部を示した斜視図である。
【図５】本発明の第２実施形態に係る二次電池の断面図である。
【図６】本発明の第３実施形態に係る二次電池における正極無地部、正極集電板、負極無地部、及び負極集電板を示した分解斜視図である。
【図７】本発明の第４実施形態に係る二次電池の断面図である。
【図８】本発明の第５実施形態に係る二次電池における電極組立体の概略図である。
【図９】本発明の第６実施形態に係る二次電池における電極組立体の斜視図である。
【図１０】本発明の第７実施形態に係る二次電池における電極組立体の正面図である。
【発明を実施するための形態】
【００２３】
以下、添付の図面を参照して、本発明の実施形態について本発明が属する技術分野において通常の知識を有する者が容易に実施できるように詳しく説明する。本発明は多様な形態で実施されることができ、ここで説明する実施形態に限られない。
【００２４】
図１は本発明の第１実施形態に係る二次電池の斜視図であり、図２は図１に示した二次電池の断面図である。
【００２５】
図１と図２を参照すると、二次電池１００は正極２１と負極２２及びセパレータ２３を含む電極組立体２０と、対向する両端が開放されて内部に電極組立体２０を収容するケース３０と、ケース３０の両側開放端と結合してケース３０を密閉するキャッププレート４０と、キャッププレート４０に設置されて電極組立体２０と電気的に連結される正極端子５１及び負極端子５２とを含む。
【００２６】
図３は図２に示した二次電池のうちで電極組立体を示した斜視図であり、図４は図３に示した電極組立体のうちで正極と負極の一部を示した斜視図である。
【００２７】
図３と図４を参照すると、電極組立体２０は、多数の正極２１と多数の負極２２がその間に各々セパレータ２３を挟んだ状態で積層された形状で構成される。正極２１は正極集電体の両側に正極活物質が塗布された形態であり、負極２２は負極集電体の両側に負極活物質が塗布された形状からなる。
【００２８】
この時、正極２１はセパレータ２３の外側に延びる正極無地部２４を形成し、負極２２もセパレータ２３の外側に延びる負極無地部２５を形成する。正極無地部２４と負極無地部２５は、正極集電体と負極集電体に正極活物質と負極活物質が塗布されていない領域を意味する。正極無地部２４と負極無地部２５は互いに反対方向に引き出される。
【００２９】
電極組立体２０は略長方形状で形成されてもよい。これによって、図面を基準として図面のｘ軸を電極組立体２０の長手方向として設定し、図面のｙ軸を電極組立体２０の幅方向として設定してもよい。正極無地部２４と負極無地部２５は電極組立体２０の長手方向（ｘ軸方向）に沿って互いに反対側端部に配置されたり、電極組立体２０の幅方向（ｙ軸方向）に沿って互いに反対側端部に配置されてもよい。図３と図４では前者の場合を示した。
【００３０】
下記に言及する電極組立体２０の「長手方向」と「幅方向」は、図３と図４に示した実施形態を基準とした。即ち、正極無地部２４と負極無地部２５が電極組立体２０の幅方向（ｙ軸方向）に沿って互いに対向する場合、下記に言及する電極組立体２０の「長手方向」は「幅方向」を意味し、「幅方向」は「長手方向」を意味する。
【００３１】
正極無地部２４は正極２１の数だけ積層され、積層された各々の正極無地部２４には互いに隣接した位置に少なくとも２つの開口部２４１ａ、２４１ｂが形成される。負極無地部２５も負極２２の数だけ積層され、積層された各々の負極無地部２５には互いに隣接した位置に少なくとも２つの開口部２５１ａ、２５１ｂが形成される。この開口部２４１ａ、２４１ｂ、２５１ａ、２５１ｂは積層される前に正極無地部２４と負極無地部２５に予め形成される。図面においては、一例として各々の正極無地部２４と負極無地部２５に２つの円型開口部２４１ａ、２４１ｂ、２５１ａ、２５１ｂが位置する場合を示した。
【００３２】
従って、正極２１と負極２２及びセパレータ２３を多数回積層して電極組立体２０を形成する過程において、電極組立体２０の厚さ方向（ｚ軸方向）に沿って整列される開口部２４１ａ、２４１ｂ、２５１ａ、２５１ｂを利用して正極２１と負極２２の整列状態を正確に確認することができる。
【００３３】
この時、正極無地部２４に形成された２つの各々の開口部２４１ａ、２４１ｂは、電極組立体２０の長手方向（ｘ軸方向）に沿ってその中心を横切る仮想の中心線（図３で鎖線で表示）によって分割されると半分に分けて配置されてもよい。これと類似して、負極無地部２５に形成された２つの各々の開口部２５１ａ、２５１ｂも、前記負極無地部２５を分割する中心線の両側に一つずつ配置されてもよい。正極無地部２４と負極無地部２５に形成された二つの開口部２４１ａ、２４１ｂ、２５１ａ、２５１ｂは、同じピッチ（ｐｉｔｃｈ）またはサイズを有してもよい。さらに、前記第１及び第２開口部２４１ａ、２４１ｂの間の間隔は、前記第３及び第４開口部２５１ａ、２５１ｂの間の間隔と同一または異なって形成されてもよい。
【００３４】
各無地部の中心線の両側に開口部２４１ａ、２４１ｂ、２５１ａ、２５１ｂを一つずつ形成することによって、積層過程において電極組立体２０の幅方向（ｙ軸方向）に沿うずれと長手方向（ｘ軸方向）に沿うずれを共に正確に確認することができる。即ち、中心線に一つの開口部が位置したり、中心線の一側にのみ多数の開口部を形成する場合を仮定すると、電極組立体全体において電極組立体の幅方向と長手方向に沿うずれを高精度で確認し難くなる。
【００３５】
図３と図４では中心線の両側に開口部２４１ａ、２４１ｂ、２５１ａ、２５１ｂを一つずつ形成した場合を示したが、開口部２４１ａ、２４１ｂ、２５１１、２５１ｂの数は前述した例に限られない。
【００３６】
このように第１実施形態の二次電池１００は、電極組立体２０を構成する多数の正極２１と多数の負極２２を正確に整列させることができるため、電極組立体が積層以降に進められる後続工程における不良発生を抑制し、短絡を防止することができる。その結果、第１実施形態の二次電池１００は、長寿命特性と高い信頼性を確保することができる。
【００３７】
積層された正極無地部２４は互いに接するように密着した後に溶接などの方法によって接合される。積層された負極無地部２５も互いに接するように密着した後に溶接などの方法によって接合される。
【００３８】
この時、正極無地部２４と負極無地部２５は、正極２１及び負極２２の幅より小さい幅を有してもよい。図４において正極無地部２４と負極無地部２５の幅をｗ１として示し、正極２１と負極２２の幅をｗ２として示した。これにより、正極無地部２４と負極無地部２５を密着した後に接合させる過程において、電極組立体２０のずれを予防することができる。
【００３９】
再び図１と図２を参照すると、電極組立体２０は正極無地部２４がケース３０の一側開放端と対向し、負極無地部２５がケース３０の他側開放端と対向するようにケース３０内部に配置される。そして、ケース３０の一側開放端には正極端子５１を備えたキャッププレート４０が結合され、ケース３０の他側開放端には負極端子５２を備えたキャッププレート４０が結合される。
【００４０】
正極端子５１と負極端子５２は絶縁ガスケット５３を間においてキャッププレート４０に設けられる。電極組立体２０に向かうキャッププレート４０の内面には正極端子５１と連結される正極集電板５４と、負極端子５２と連結される負極集電板５５が設けられる。
【００４１】
正極無地部２４は畳まれた状態で溶接などの方法によって正極集電板５４に固定され、負極無地部２５も畳まれた状態で溶接などの方法によって負極集電板５５に固定される。従って、正極２１と正極端子５１が電気的に連結され、負極２２と負極端子５２が電気的に連結される。
【００４２】
一方、前記では正極端子５１と負極端子５２が互いに反対方向に引き出される場合を示したが、一つのキャッププレートに正極端子と負極端子が並んで配置するように構成してもよい。
【００４３】
図５は本発明の第２実施形態に係る二次電池の断面図である。
【００４４】
図５を参照すると、第２実施形態の二次電池２００において、ケース３１が単一開放端を形成し、正極端子５１と負極端子５２を備えたキャッププレート４１が開放端に設けられる。そして、正極端子５１と正極無地部２４との間に折れた板状の正極集電板５６が位置し、負極端子５２と負極無地部２５との間にも折れた板状の負極集電板５７が位置する。
【００４５】
正極無地部２４は溶接などの方法によって正極集電板５６に固定され、負極無地部２５も溶接などの方法によって負極集電板５７に固定される。キャッププレート４１と正極集電板５６との間及びキャッププレート４１と負極集電板５７との間には、これらを絶縁させる絶縁部材５８が位置する。電極組立体２０は前述した第１実施形態の電極組立体と同じ構成からなる。
【００４６】
図６は本発明の第３実施形態に係る二次電池における正極無地部、正極集電板、負極無地部、及び負極集電板を示した分解斜視図である。
【００４７】
図６を参照すると、第３実施形態の二次電池３００において、正極無地部２４と負極無地部２５に形成された開口部２４１ａ、２４１ｂ、２５１ａ、２５１ｂが正極集電板５６及び負極集電板５７との機械的結合のための締結孔としても使用される。即ち、第３実施形態では、溶接の代わりにボルトナット組立体またはリベットのような締結部材によって正極無地部２４と正極集電板５６が結合され、負極無地部２５と負極集電板５７が結合される。
【００４８】
このために、正極集電板５６と負極集電板５７にも正極無地部２４及び負極無地部２５に形成された開口部２４１ａ、２４１ｂ、２５１ａ、２５１ｂに対応する開口部５６１ａ、５６１ｂ、５７１ａ、５７１ｂが形成される。ボルトナット組立体の場合、ボルト６１は正極集電板５６と正極無地部２４を貫いてナット６２によって締められて固定される。リベットの場合、加熱されたリベットが正極集電板と正極無地部に嵌合された後、外力によって端部が変形して固定されてもよい。図６では締結部材の例としてボルト６１とナット６２の組立体を示した。
【００４９】
このように、第３実施形態の二次電池３００において、開口部２４１ａ、２４１ｂ、２５１ａ、２５１ｂは電極組立体２０の整列状態を確認する機能と共に、正極無地部２４と正極集電板５６及び負極無地部２５と負極集電板５７の機械的な結合を容易にする機能も有する。
【００５０】
前述した第１実施形態乃至第３実施形態において、ケース３０、３１は、アルミニウム、アルミニウム合金、またはニッケルがメッキされた導電性金属で製造され、電極組立体２０に対応する形状で形成される。
【００５１】
図７は本発明の第４実施形態に係る二次電池の断面図である。
【００５２】
図７を参照すると、第４実施形態の二次電池４００は、ラミネートシートで製造されるケース３２と、正極無地部２４及び負極無地部２５に直接固定されてケース３２の外部に引き出される正極端子５１１及び負極端子５２１とを含む。ケース３２は上部ケース３３と下部ケース３４を含む。第４実施形態の二次電池４００は、前述した実施形態のキャッププレートを備えない。
【００５３】
ラミネートシートは、金属層と樹脂層が接着層によって接合された形態からなる。上部ケース３３と下部ケース３４はその内部に電解液が含浸された状態の電極組立体２０を収容した後、熱融着によってその周縁が一体に接合されて電極組立体２０を密閉する。
【００５４】
正極端子５１１と負極端子５２１は一定の厚さを有する板状からなり、上部ケース３３及び下部ケース３４と重なる領域に絶縁ポリマー等で形成されたシーリング部（図示せず）を備えてもよい。シーリング部はケース３２から正極端子５１１と負極端子５２１を絶縁させ、熱融着過程において正極端子５１１と負極端子５２１を保護する機能を有する。
【００５５】
正極端子５１１と負極端子５２１にも開口部が形成され、ボルトナット組立体またはリベットのような締結部材によって正極無地部２４及び負極無地部２５と結合されてもよい。図７では、締結部材の例としてボルト６１とナット６２の組立体を示した。一方、締結部材を利用せずに正極無地部２４と正極端子５１１を溶接によって固定し、負極無地部２５と負極端子５２１を溶接によって固定するように構成してもよい。
【００５６】
図８は本発明の第５実施形態に係る二次電池における電極組立体の概略図である。
【００５７】
図８を参照すると、第５実施形態の二次電池５００は、電極組立体２０１がジグザグ方式で折り畳まれて積層される構成を除いては、前述した第１実施形態乃至第４実施形態のうちのいずれか一つの実施形態の二次電池と同じ構成からなる。
【００５８】
電極組立体２０１において、一枚の正極２１と一枚の負極２２との間に一枚のセパレータ２３が配置され、正極２１と負極２２のうちのいずれか一つの外面に他の一枚のセパレータ２３が配置されて前記電極組立体の外部面を形成する。正極２１と負極２２及びセパレータ２３は長手方向に沿って多数回折り畳まれて電極組立体２０１を形成する。
【００５９】
セパレータ２３の外側に延びた正極無地部２４と負極無地部２５には複数の開口部２４１ｃ、２４１ｄ、２５１ｃ、２５１ｄが形成される。この開口部２４１ｃ、２４１ｄ、２５１ｃ、２５１ｄは電極組立体２０１が畳まれる地点を考慮して正極無地部２４と負極無地部２５に予め形成されたものであって、電極組立体２０１を折り畳んで積層する過程において電極組立体２０１の厚さ方向（ｚ軸方向）に沿って整列される開口部２４１ｃ、２４１ｄ、２５１ｃ、２５１ｄを利用して電極組立体２０１の整列度を容易に確認することができる。
【００６０】
積層された正極無地部２４と積層された負極無地部２５は、両側周縁が切断されてその幅が縮小されてもよく、互いに接するように密着した後、溶接などの方法によって接合される。
【００６１】
図９は本発明の第６実施形態に係る二次電池のうちで電極組立体の斜視図である。
【００６２】
図９を参照すると、第６実施形態の二次電池６００は、電極組立体２０２がゼリーロール状に巻き取られて形成されたことを除いては、前述した第１実施形態乃至第４実施形態のうちのいずれか一つ実施形態の二次電池と同じ構成からなる。
【００６３】
電極組立体２０２において、一枚の正極２１と一枚の負極２２との間に一枚のセパレータ２３が配置され、正極２１と負極２２のうちのいずれか一つの外面に他の一枚のセパレータ２３が配置される。正極２１と負極２２及びセパレータ２３は多数回巻き取られた後に加圧されて電極組立体２０２を形成する。
【００６４】
セパレータ２３の外側に延びた正極無地部２４と負極無地部２５には複数の開口部２４１ｃ、２４１ｄ、２５１ｃ、２５１ｄが形成される。この開口部２４１ｃ、２４１ｄ、２５１ｃ、２５１ｄは電極組立体２０２が巻き取られる地点を考慮して正極無地部２４と負極無地部２５に予め形成されたものであって、電極組立体２０２を巻き取る過程において電極組立体２０２の厚さ方向（ｚ軸方向）に沿って整列される開口部２４１ｃ、２４１ｄ、２５１ｃ、２５１ｄを利用して電極組立体２０２の整列度を確認することができる。
【００６５】
但し、巻き取り型電極組立体２０２の場合、正極２１と負極２２及びセパレータ２３の厚さ、正極２１と負極２２及びセパレータ２３が１８０°方向に転換する時に生じる曲線部の曲率、及びその他の多様な工程偏差などにより、電極組立体２０２を巻き取る過程において開口部２４１ｃ、２４１ｄ、２５１ｃ、２５１ｄが電極組立体２０２の厚さ方向に沿って正確に整列されないことがある。
【００６６】
この場合には、開口部２４１ｃ、２４１ｄ、２５１ｃ、２５１ｄの位置偏差に対する収容可能な許容値を設定し、光学機械などを利用して電極組立体２０２の厚さ方向（ｚ軸方向）に沿った開口部２４１ｃ、２４１ｄ、２５１ｃ、２５１ｄの位置偏差を測定した後、許容値を基準として電極組立体２０２の不良判定と適合判定を行ってもよい。
【００６７】
図１０は本発明の第７実施形態に係る二次電池のうちで電極組立体の正面図である。
【００６８】
図１０を参照すると、第７実施形態の二次電池７００は、正極無地部２４と負極無地部２５に円形の第１開口部２４１ｅ、２５１ｅと非円形の第２開口部２４２、２５２が形成されることを除いては、前述した第１実施形態乃至第６実施形態のうちのいずれか一つの実施形態の二次電池と同じ構成からなる。図１０において、符号２０３は電極組立体を示す。
【００６９】
第２開口部２４２、２５２は略楕円形からなり、仮想の円形開口部（点線で表示）を基準として第１開口部２４１、２５１と対向する一側に所定の余裕空間をさらに形成し、その反対側の他側にも所定の余裕空間をさらに形成した形状からなる。この時、第２開口部２４２、２５２の両側周縁曲率は、仮想の円形開口部の曲率と同じである。
【００７０】
これにより、第１開口部２４１ｅ、２５１ｅと第２開口部２４２、２５２に締結部材（図示せず）を通す時、第１開口部２４１ｅ、２５１ｅに通す締結部材と第２開口部２４２、２５２に通す締結部材との間に若干の工程誤差が生じても、不良発生なく前述した締結部材を正極無地部２４と負極無地部２５に容易に締結することができる。
【００７１】
以上、本発明の望ましい実施形態について説明したが、本発明はこれに限定されるのではなく、特許請求の範囲と発明の詳細な説明及び添付する図面の範囲内で多様に変形して実施することが可能であり、これも本発明の範囲に属する。
【符号の説明】
【００７２】
１００、２００、３００、４００、５００、６００、７００      二次電池
２０、２０１、２０２、２０３      電極組立体
２１      正極
２２      負極
２３      セパレータ
２４      正極無地部
２５      負極無地部
２４１、２５１      開口部
３０、３１、３２      ケース
４０、４１      キャッププレート
５１、５１１      正極端子
５２、５２１      負極端子
５４、５６      正極集電板
５５、５７      負極集電板
【図１】
2011113970.tif 000003
【図２】
2011113970.tif 000004
【図３】
2011113970.tif 000005
【図４】
2011113970.tif 000006
【図５】
2011113970.tif 000007
【図６】
2011113970.tif 000008
【図７】
2011113970.tif 000009
【図８】
2011113970.tif 000010
【図９】
2011113970.tif 000011
【図１０】
2011113970.tif 000012